(57)【要約】【課題】コストをかけない簡単な構成で応答速度の遅れを解消し、電圧レベルの上昇特性を適切な特性に制御すること。【解決手段】スイッチ切替テーブル５６１は、起動時の電圧Ｖの上昇特性に応じたスイッチのオン／オフの組み合わせを記憶する。起動時、電圧Ｖが予め設定された上昇特性で上昇するように、ＣＰＵ５１はスイッチ切替テーブル５６１から予め設定された上昇特性と対応付けて記憶されたスイッチの組み合わせを読み出し、その読み出した組み合わせに応じてアナログスイッチ５４に対してスイッチを切り替えさせる。電圧Ｖが目標電圧に到達した後、起動時にコンデンサＣに接続されていた抵抗をより抵抗値の小さい抵抗に切り替える。【選択図】図２
2010286571.tif 000002
【特許請求の範囲】
【請求項１】
入力した信号をＤ／Ａ変換して矩形波を出力する変換手段と、
前記変換手段が出力した矩形波の電圧レベルを増幅する第１バッファアンプと、
前記第１バッファアンプの出力端にその一端が接続され、並列に複数接続されたオン／オフを切り替えるスイッチと、
前記各スイッチの他端にその一端が接続された抵抗値の異なる複数の抵抗と、
一端が前記複数の抵抗の他端と接続され、他端が接地されたコンデンサと、
入力端が前記複数の抵抗の他端と接続された第２バッファアンプと、
前記複数のスイッチのうち、少なくとも１つのスイッチをオンとし、他をオフに切り替える制御を行う制御手段と、
を備え、前記制御手段は、装置起動時における前記複数の抵抗の他端側の電圧の上昇特性を予め定められた特性とするために、前記複数のスイッチのうち、予め定められたスイッチをオンとして他をオフとし、前記複数の抵抗の他端側の電圧が目標電圧に到達した後は、装置起動時に前記コンデンサの一端に接続されていた前記抵抗より小さい値の抵抗を前記コンデンサの一端に接続するために、更に前記スイッチのオン／オフを切り替える制御を行うものである高電圧供給回路。
【請求項２】
装置起動時における前記複数の抵抗の他端側の電圧の異なる複数の上昇特性をそれぞれ実現するための前記スイッチのオン又はオフの組み合わせを記憶する記憶手段を更に備え、前記装置起動時、前記制御手段は、前記複数の抵抗の他端側の電圧の上昇特性を装置毎に予め定められた特性とするために、前記記憶手段から当該予め定められた上昇特性を実現する前記スイッチのオン又はオフの組み合わせを読み出して、当該読み出した前記スイッチのオン又はオフの組み合わせに応じて前記スイッチのオン／オフを切り替える制御を行うものである請求項１に記載の高電圧供給回路。
【請求項３】
請求項１又は２に記載の高電圧供給回路と、
感光体に形成された静電潜像にトナーを供給してトナー像を形成し、そのトナー像を記録媒体に転写することによって画像を形成する画像形成手段と、
を備え、前記高電圧供給回路は前記画像形成手段に高電圧を供給するものである画像形成装置。
【発明の詳細な説明】
【技術分野】
【０００１】
本発明は、高電圧を供給する高電圧供給回路及び、その高電圧供給回路を備えた画像形成装置に関するものである。
【背景技術】
【０００２】
従来からプリンタやスキャナ、複写機、あるいはこれらの機能を備えた複合機等の電子写真プロセスを用いた画像形成装置においては、感光体ドラムと対向配置された現像ローラに、高圧の現像電圧を印加することにより帯電させたトナーを、静電潜像の形成された感光体ドラムへ供給することで、トナー現像を行う現像装置を備えている。
【０００３】
このような画像形成装置においては、現像電圧を高くするほど画質が向上する一方、現像電圧が高いほど、感光体ドラムと現像ローラとの間で放電によるリークが生じやすくなる。このような高電圧のリークは電力を無駄に消費することに繋がり、逆にリークを避けるために現像電圧を下げると画像の輪郭がぼやける等の画質劣化を引き起こしていた。
【０００４】
特許文献１には、Ｄ／Ａコンバータの出力にバッファを接続するか、分圧抵抗を用いるかをアナログスイッチで切り替えることによって、負荷に対する出力インピーダンスを変化させて消費電力を変化させる方法が記載されている。
【先行技術文献】
【特許文献】
【０００５】
【特許文献１】特開２００２−２０２７４５号公報
【発明の概要】
【発明が解決しようとする課題】
【０００６】
しかし、感光体ドラムと現像ローラの間のリークは、装置起動時に電圧がオーバーシュートすることから発生する場合が多く、この問題を解決するために電圧を徐々に上昇させるスローアップ方式を用いているが、電圧供給回路を制御するＣＰＵのリソース不足と、応答速度の遅延が問題となっていた。応答速度の遅延を解消するためには、高速駆動に対応した回路部品を用いればよいが、コストの増加を招いてしまう。
【０００７】
本発明は、上記の問題を解決するためになされたもので、コストをかけない簡単な構成で応答速度の遅れを解消し、電圧レベルの上昇特性を適切な特性に制御する高電圧供給回路及び画像形成装置を提供することを目的とするものである。
【課題を解決するための手段】
【０００８】
請求項１に記載の発明の高電圧供給回路は、入力した信号をＤ／Ａ変換して矩形波を出力する変換手段と、前記変換手段が出力した矩形波の電圧レベルを増幅する第１バッファアンプと、前記第１バッファアンプの出力端にその一端が接続され、並列に複数接続されたオン／オフを切り替えるスイッチと、前記各スイッチの他端にその一端が接続された抵抗値の異なる複数の抵抗と、一端が前記複数の抵抗の他端と接続され、他端が接地されたコンデンサと、入力端が前記複数の抵抗の他端と接続された第２バッファアンプと、前記複数のスイッチのうち、少なくとも１つのスイッチをオンとし、他をオフに切り替える制御を行う制御手段と、を備え、前記制御手段は、装置起動時における前記複数の抵抗の他端側の電圧の上昇特性を予め定められた特性とするために、前記複数のスイッチのうち、予め定められたスイッチをオンとして他をオフとし、前記複数の抵抗の他端側の電圧が目標電圧に到達した後は、装置起動時に前記コンデンサの一端に接続されていた前記抵抗より小さい値の抵抗を前記コンデンサの一端に接続するために、更に前記スイッチのオン／オフを切り替える制御を行うものである。
【０００９】
この構成によれば、第１バッファアンプの後段に抵抗値の異なる複数の抵抗を並列に接続し、アナログスイッチによってコンデンサの一端に接続される抵抗を切り替えることにより、第２バッファアンプの入力側の電圧レベルの上昇特性を可変させることができる。更に、第２バッファアンプの入力側の電圧レベルが目標電圧に到達した後にコンデンサの一端に接続される抵抗を更に抵抗値の小さいものに切り替えることにより、コンデンサと抵抗の時定数が小さくなるため、矩形波の立ち上がり時間を短くすることができ、応答速度を改善することができる。
【００１０】
請求項２に記載の発明は、請求項１に記載の高電圧供給回路であって、装置起動時における前記複数の抵抗の他端側の電圧の異なる複数の上昇特性をそれぞれ実現するための前記スイッチのオン又はオフの組み合わせを記憶する記憶手段を更に備え、前記装置起動時、前記制御手段は、前記複数の抵抗の他端側の電圧の上昇特性を装置毎に予め定められた特性とするために、前記記憶手段から当該予め定められた上昇特性を実現する前記スイッチのオン又はオフの組み合わせを読み出して、当該読み出した前記スイッチのオン又はオフの組み合わせに応じて前記スイッチのオン／オフを切り替える制御を行うものである。
【００１１】
この構成によれば、記憶手段に、高電圧供給回路の起動時における複数の抵抗の他端側の電圧の様々な上昇特性に応じたスイッチのオン又はオフの組み合わせを予め記憶させておくことにより、高電圧の供給先である装置の仕様に応じた上昇特性を実現することができる。例えば、高電圧の供給先である装置が、電源投入から稼働開始までを短時間で行うことを特徴とする装置である場合、複数の抵抗の他端側の電圧を比較的急峻に立ち上がらせるために、制御手段は該当する上昇特性と対応付けて記憶されたスイッチの組み合わせを記憶手段から読み出して、スイッチのオン／オフを制御する。これにより、装置の電源投入から稼働開始までの時間を短縮させることができる。
【００１２】
請求項３に記載の発明の画像形成装置は、請求項１又は２に記載の高電圧供給回路と、感光体に形成された静電潜像にトナーを供給してトナー像を形成し、そのトナー像を記録媒体に転写することによって画像を形成する画像形成手段と、を備え、前記高電圧供給回路は前記画像形成手段に高電圧を供給するものである。
【００１３】
この構成によれば、例えば画像形成手段のうち、トナーを帯電させるための現像ローラに対して高電圧供給回路から高電圧が供給される場合、画像形成装置の性能等に応じて現像ローラに印加される電圧レベルの上昇特性がコントロールされ、高すぎる電圧が供給されることによって生じる現像ローラと感光体ドラムの間のリークを防ぐことができる。また、供給電圧が目標電圧に達した後は、第１バッファアンプと第２バッファアンプの間に接続する抵抗を抵抗値の小さいものに切り替えることにより、現像ローラに出力される矩形波の立ち上がり時間を短くすることができ、応答速度を改善することができる。
【発明の効果】
【００１４】
この発明によれば、第１バッファアンプの後段に抵抗値の異なる複数の抵抗を並列に接続し、アナログスイッチによってコンデンサの一端に接続される抵抗を切り替えることにより、第２バッファアンプの入力側の電圧レベルの上昇特性を可変させることができる。更に、第２バッファアンプの入力側の電圧レベルが目標電圧に到達した後にコンデンサの一端に接続される抵抗を更に抵抗値の小さいものに切り替えることにより、コンデンサと抵抗の時定数が小さくなるため、矩形波の立ち上がり時間を短くすることができ、応答速度を改善することができる。
【図面の簡単な説明】
【００１５】
【図１】画像形成装置の内部構成を概略的に示す側面図。
【図２】高電圧供給回路の回路ブロック図。
【図３】スイッチ切替テーブルのデータ構成を示した図。
【図４】電圧Ｖの上昇特性を示した図。
【発明を実施するための形態】
【００１６】
以下、本発明に係る高電圧供給回路及び画像形成装置の実施の形態を図面に基づいて説明する。図１は、本実施の形態における高電圧供給回路を備えた画像形成装置１の内部構成を概略的に示す側面図である。画像形成装置１は、コピー機能、プリンタ機能、スキャナ機能及びファクシミリ機能等の機能を兼ね備えたものであり、本体部２と、本体部２の左方に配設されたスタックトレイ３と、本体部２の上部に配設された原稿読取部４と、原稿読取部４の上方に配設された原稿給送部５とを有している。
【００１７】
また、画像形成装置１のフロント部には、入力操作部６が設けられている。この入力操作部６には、ユーザが印刷実行指示を入力するためのスタートキー７と、印刷部数等を入力するためのテンキー８と、各種複写動作の操作ガイド情報等を表示し、これら各種設定入力用にタッチパネル機能を有する液晶ディスプレイ等からなる表示部９と、表示部９で設定された設定内容等をリセットするリセットキー１０と、実行中の印刷（画像形成）動作を停止させるためのストップキー１１と、コピー機能、プリンタ機能、スキャナ機能及びファクシミリ機能を切り換えるための機能切換キー１２とが備えられている。
【００１８】
原稿読取部４は、ＣＣＤ(Charge Coupled Device)センサ及び露光ランプ等からなるスキャナ部１３と、ガラス等の透明部材により構成された原稿台１４及び原稿読取スリット１５とを備える。スキャナ部１３は、図略の駆動部によって移動可能に構成され、原稿台１４に載置された原稿を読み取るときは、原稿台１４に対向する位置で原稿面に沿って移動され、原稿画像を走査しつつ画像データを取得する。また、原稿給送部５により給送された原稿を読み取るときは、原稿読取スリット１５と対向する位置に移動され、原稿読取スリット１５を介して原稿給送部５による原稿の搬送動作と同期して原稿の画像を取得する。
【００１９】
原稿給送部５は、原稿を載置するための原稿載置部１６と、画像読み取り済みの原稿を排出するための原稿排出部１７と、原稿載置部１６に載置された原稿を１枚ずつ繰り出して原稿読取スリット１５に対向する位置へ搬送し、原稿排出部１７へ排出するための給紙ローラや搬送ローラ（図示せず）等からなる原稿搬送機構１８を備える。
【００２０】
また、原稿給送部５は、その前面側が上方に移動可能となるように本体部２に対して回動自在に設けられている。原稿給送部５の前面側を上方に移動させて原稿台１４上面を開放することにより、原稿台１４の上面に読み取り原稿、例えば見開き状態にされた書籍等を操作者が載置できるようになっている。
【００２１】
本体部２は、複数の給紙カセット１９と、給紙カセット１９から用紙を１枚ずつ繰り出して画像形成部２１へ搬送する給紙ローラ２０と、給紙カセット１９から搬送されてきた用紙に画像を形成する画像形成部２１とを備える。
【００２２】
画像形成部２１は、スキャナ部１３で取得された画像データに基づきレーザ光等を出力して感光体ドラム２２を露光し、感光体ドラム２２の表面に静電潜像を形成する光学ユニット２３と、静電潜像が形成された感光体ドラム２２の表面にトナーを付着することによりトナー像を形成する現像部２４と、感光体ドラム２２上のトナー像を用紙に転写する転写部２５と、トナー像が転写された用紙を加熱してトナー像を用紙に定着させる一対のローラ２６及び２７（定着ローラ２６及び加圧ローラ２７）を備えた定着装置２８と、画像形成部２１内の用紙搬送路中に設けられ、用紙をスタックトレイ３又は排出トレイ２９まで搬送する搬送ローラ対３０及び３１等を備える。
【００２３】
また、用紙の両面に画像を形成する場合は、画像形成部２１で用紙の一方の面に画像を形成した後、この用紙を排出トレイ２９側の搬送ローラ対３０にニップされた状態とする。この状態で搬送ローラ対３０を反転させて用紙をスイッチバックさせ、用紙を用紙搬送路３２に送って画像形成部２１の上流域に再度搬送し、画像形成部２１により他方の面に画像を形成した後、用紙をスタックトレイ３又は排出トレイ２９に排出する。
【００２４】
ここで、感光体ドラム２２と対向配置された現像部２４の有する現像ローラ４１に対して、高電圧供給回路から高圧の現像電圧が印加される。これにより、トナーが帯電し、感光体ドラム２２へ移動する。そして、感光体ドラム２２の周面に形成された静電潜像にトナーが付着してトナー像が形成される。現像ローラ４１に供給する現像電圧を高くするほど画質が向上するが、現像電圧を高くすると感光体ドラム２２と現像ローラ４１との間で放電によるリークが生じやすくなる。この高電圧のリークは電力を無駄に消費することに繋がり、逆にリークを避けるために現像電圧を下げると画像の輪郭がぼやける等の画質劣化を引き起こしていた。
【００２５】
そこで、電圧のオーバーシュートが起こりやすい装置起動時における電圧レベルの上昇特性を並列接続された抵抗を用いることでコントロールする。図２は、現像ローラ４１に高電圧を供給する高電圧供給回路５０の回路ブロック図である。高電圧供給回路５０は、ＣＰＵ（Central Processing Unit：中央処理装置）５１、Ｄ／Ａコンバータ５２、バッファアンプ５３及び５５、アナログスイッチ５４、ＲＯＭ（Read Only Memory）５６、抵抗Ｒ１〜Ｒ４、コンデンサＣを備える。
【００２６】
ＣＰＵ５１は、指示信号の出力やデータ転送等を行うことにより、ＣＰＵ５１と接続された構成要素を制御するものであり、主にＤ／Ａコンバータ５２とアナログスイッチ５４の駆動を制御する。Ｄ／Ａコンバータ５２は、ＣＰＵ５１による制御に応じて現像ローラ４１に供給する高電圧制御用の矩形波を出力し、バッファアンプ５３はこの矩形波を取り込んで増幅して出力する。
【００２７】
アナログスイッチ５４は、複数のスイッチＳ１〜Ｓ４が並列に接続されてなり、各スイッチＳ１〜Ｓ４の一端はバッファアンプ５３の出力端に接続されている。スイッチＳ１〜Ｓ４のオン／オフは、ＣＰＵ５１が出力する指示信号によって切り替わる。スイッチＳ１〜Ｓ４の他端には、抵抗値の異なる抵抗Ｒ１〜Ｒ４の一端がそれぞれ接続されている。抵抗Ｒ１〜Ｒ４の他端には、コンデンサＣの一端が接続され、コンデンサＣの他端は接地されている。また、抵抗Ｒ１〜Ｒ４の他端にはバッファアンプ５５の入力端が接続され、バッファアンプ５５から出力した高電圧は現像ローラ４１に供給される。
【００２８】
ＲＯＭ５６は、高電圧供給回路５０の備える種々の機能を実現するためのプログラムやデータ等を記憶するものであり、本実施の形態ではスイッチ切替テーブル５６１を記憶する。図３は、スイッチ切替テーブル５６１のデータ構成の一例を示した図である。スイッチ切替テーブル５６１は、起動時における抵抗Ｒ１〜Ｒ４の他端側の電圧Ｖの複数の上昇特性の種類とそれぞれ対応付けて記憶されたスイッチＳ１〜Ｓ４のオン又はオフの組み合わせを記憶する。
【００２９】
起動時の電圧Ｖの上昇特性は、画像形成装置１の性能や状態に応じて異なる。例えば、起動から印刷までの時間を短くした高速タイプの画像形成装置の場合は、電圧Ｖを早く目標電圧に到達させる必要があるため、比較的急峻に上昇する特性であることが望ましい。一方、起動から印刷までの時間については考慮しないタイプの画像形成装置の場合は、電圧Ｖは比較的緩やかに上昇する特性であってよい。また、起動から印刷までの時間について考慮しないタイプの画像形成装置であっても、起動時に既に画像データが外部装置から転送されている状態に有る場合は、ユーザの要望に応えるために、素早く電圧Ｖを目標電圧に到達させて印刷を開始する必要がある。
【００３０】
このように、画像形成装置１に求められる性能や印刷準備段階の状態によって、電圧Ｖの上昇特性を可変させる必要がある。このため、画像形成装置１の性能に応じて予め定められた上昇特性、又は画像形成装置１の状態に応じて電圧Ｖの上昇特性を可変することができるように、複数の上昇特性（図３では特性１、特性２、特性３、・・・）と対応付けてスイッチＳ１〜Ｓ４のオン又はオフの組み合わせをスイッチ切替テーブル５６１に記憶させておく。
【００３１】
そして、ＣＰＵ５１は、画像形成装置１の起動時に予め定められた上昇特性のスイッチＳ１〜Ｓ４の組み合わせをスイッチ切替テーブル５６１から読み出してアナログスイッチ５４へ指示信号を出力する。アナログスイッチ５４は、ＣＰＵ５１から受けた指示信号に応じてスイッチＳ１〜Ｓ４のオン／オフを切り替える。
【００３２】
図４は、画像形成装置１の起動時における、抵抗Ｒ１〜Ｒ４の他端側の電圧Ｖの上昇特性を示した図であり、図４（ａ）は従来の方法で上昇特性を制御した場合、図４（ｂ）は本実施の形態における上昇特性を示したものである。
【００３３】
従来、起動時における電圧のオーバーシュートを防ぐために、バッファアンプ５３と５５の間に１つの抵抗を接続して徐々に電圧を上昇させていた。しかし、従来のような方法の場合、ＣＰＵ５１のリソース増加と、応答速度の遅延が課題となっていた。これは、カラーの画像形成装置の場合、各色に対応して現像部２４が存在するため、各色の現像部用の電圧を生成するためにＤ／Ａコンバータ５２として多チャネルのものを使用していることに起因している。この多チャネルＤ／Ａコンバータ５２に替えて、高速の単チャネルＤ／Ａコンバータを使用すればよいが、コストが増大してしまう。
【００３４】
更に、従来は、矩形波の立ち上がり時間も、バッファアンプ５３と５５の間に接続された１つの抵抗の抵抗値とコンデンサＣによる時定数によって決められていた。起動時の電圧を徐々に上昇させるために、バッファアンプ５３と５５の間に大きな抵抗値を持つ抵抗を接続した場合、時定数が大きくなり、その分目標電圧に達した後も矩形波の立ち上がりが鈍り、応答速度の遅延に繋がっていた。
【００３５】
この問題を解決するために、本実施の形態では、バッファアンプ５３の後段に抵抗値の異なる複数の抵抗Ｒ１〜Ｒ４を並列接続し、所望の電圧Ｖの上昇特性と矩形波のスルーレートに応じて何れの抵抗Ｒ１〜Ｒ４を用いるかをアナログスイッチ５４によって切り替えることによって、電圧Ｖの上昇特性と矩形波のスルーレートを調整する方法について説明する。
【００３６】
まず起動時の電圧Ｖの上昇特性の制御について説明する。上述したように、起動時の電圧Ｖの上昇特性については、画像形成装置１の性能や状態に応じて可変できることが望ましい。例えば、起動から印刷までの時間を短くした高速タイプの画像形成装置の場合は、電圧Ｖを早く目標電圧に到達させる必要がある。つまり、図４（ｂ）においては、点線Ａで示す特性となることが望ましい。一方、起動から印刷までの時間については考慮しないタイプの画像形成装置の場合は、実線Ｂで示す特性であってよい。
【００３７】
例えば、抵抗Ｒ１〜Ｒ４の抵抗値が、Ｒ１＜Ｒ２＜Ｒ３＜Ｒ４であるとする。そして、例えば、画像形成装置１は起動から印刷までの時間が短い高速タイプとし、起動時の電圧Ｖの上昇特性が「特性３」に設定されているとする。この場合、ＣＰＵ５１はスイッチ切替テーブル５６１から「特性３」に対応づけて記憶されたスイッチＳ１〜Ｓ４の組み合わせを読み出す。図３によると、「特性３」に対応するスイッチＳ１〜Ｓ４の組み合わせは、スイッチＳ２がオン、他のスイッチＳ１、Ｓ３及びＳ４がオフである。ＣＰＵ５１は、読み出した組み合わせに応じてスイッチＳ１〜Ｓ４のオン／オフを切り替えさせるために、アナログスイッチ５４に対して指示信号を出力する。これにより、バッファアンプ５３と５５の間には抵抗Ｒ２が接続され、電圧Ｖの電圧レベルを早い段階で目標電圧に到達させることができる。例えば、図４（ｂ）の場合は点線Ａに示した特性を得ることができる。
【００３８】
一方、例えば、画像形成装置１は起動から印刷までの時間を考慮しないタイプとし、起動時の電圧Ｖの上昇特性が「特性１」に設定されているとする。この場合、ＣＰＵ５１はスイッチ切替テーブル５６１から「特性１」に対応づけて記憶されたスイッチＳ１〜Ｓ４の組み合わせを読み出す。図３によると、「特性１」に対応するスイッチＳ１〜Ｓ４の組み合わせは、スイッチＳ４がオン、他のスイッチＳ１〜Ｓ３がオフである。ＣＰＵ５１は、読み出した組み合わせに応じてスイッチＳ１〜Ｓ４のオン／オフを切り替えさせるために、アナログスイッチ５４に対して指示信号を出力する。これにより、バッファアンプ５３と５５の間には抵抗値の最も大きい抵抗Ｒ４が接続され、電圧Ｖの電圧レベルを少しずつ上昇させることができる。例えば、図４（ｂ）の場合は実線Ｂに示した特性を得ることができる。
【００３９】
次に、電圧Ｖが目標電圧に到達した後の矩形波のスルーレート調整について説明する。電圧Ｖが目標電圧に到達した後の矩形波の立ち上がり時間は、上述したように、バッファアンプ５３と５５の間に接続された抵抗の値とコンデンサＣの時定数によって決まる。仮に、起動時に抵抗Ｒ４を用いた場合、起動時のスローアップ制御は実現できるが、電圧Ｖが目標電圧に到達した後の矩形波の立ち上がりは鈍く（図４（ｂ）における二点鎖線で示した矩形波）、応答速度の遅延に繋がる。
【００４０】
そこで、電圧Ｖが目標電圧に到達した後の矩形波の立ち上がり時間を起動時に比べて短くするために、更にスイッチＳ１〜Ｓ４のオン／オフを切り替えて、バッファアンプ５３と５５の間に接続する抵抗を変化させる。具体的には、ＣＰＵ５１は、起動時にアナログスイッチ５４に対して指示したスイッチＳ１〜Ｓ４のオン／オフの組み合わせより、コンデンサＣに接続されている抵抗を判別する。そして、その抵抗より値の小さい抵抗をコンデンサＣに接続するように、アナログスイッチ５４に対して指示信号を出力する。
【００４１】
例えば、起動時はスイッチＳ４がオン、スイッチＳ１〜Ｓ３がオフであったとする。ＣＰＵ５１は、起動時はコンデンサＣに抵抗Ｒ４が接続されていたことを認識し、抵抗Ｒ４より小さい抵抗、つまり抵抗Ｒ１〜Ｒ３の何れか（例えば、抵抗Ｒ３）がコンデンサＣに接続されるようにアナログスイッチ５４に対して指示信号を出力する。ここで、時定数を下げるために単純に一番小さい抵抗である抵抗Ｒ１をコンデンサＣに接続させる方法もあるが、希望する時定数や電圧Ｖの電圧レベル、電流等とコンデンサＣの容量から接続すべきＣＰＵ５１が抵抗値を逆算して、接続する抵抗を決定することが望ましい。このように、起動時にコンデンサＣに接続されていた抵抗をより抵抗値の小さい抵抗に切り替えることにより、矩形波の立ち上がり時間を短くすることができ、例えば、図４（ｂ）の目標電圧達成後における実線で示した矩形波を得ることができる。
【００４２】
以上、説明したように、バッファアンプ５３の後段に抵抗値の異なる複数の抵抗を並列に接続してアナログスイッチ５４によってコンデンサＣの一端に接続する抵抗を切り替える構成とし、起動時における電圧Ｖの様々な上昇特性に応じたスイッチのオン又はオフの組み合わせをスイッチ切替テーブル５６１に記憶させることにより、画像形成装置１の性能等に応じて上昇特性を可変させることができる。また、電圧Ｖが目標電圧に達した後の矩形波の立ち上がり時間を短くするために、起動時にコンデンサＣに接続されていた抵抗をより抵抗値の小さい抵抗に切り替えることにより、時定数が小さくなって矩形波の立ち上がりをより急峻にすることができ、応答速度を改善することができる。
【００４３】
尚、本実施の形態では、高電圧供給回路５０による高電圧の供給対象として現像ローラ４１を例に説明したが、これ以外に、例えば、感光体ドラム２２を一様に帯電させる帯電装置（不図示）等の高電圧で駆動する装置を供給対象としてもよい。
【符号の説明】
【００４４】
１      画像形成装置
２      本体部
４      原稿読取部
５      原稿給送部
６      入力操作部
２１    画像形成部（画像形成手段）
２２    感光体ドラム
２３    光学ユニット
２４    現像部
２５    転写部
２８    定着装置
４１    現像ローラ
５０    高電圧供給回路
５１    ＣＰＵ（制御手段）
５２    Ｄ／Ａコンバータ（変換手段）
５３    バッファアンプ（第１バッファアンプ）
５４    アナログスイッチ
５５    バッファアンプ（第２バッファアンプ）
５６    ＲＯＭ
５６１  スイッチ切替テーブル（記憶手段）
Ｓ１〜Ｓ４  スイッチ（スイッチ）
Ｒ１〜Ｒ４  抵抗
Ｃ      コンデンサ
【図１】
2010286571.tif 000003
【図２】
2010286571.tif 000004
【図３】
2010286571.tif 000005
【図４】
2010286571.tif 000006